(57)【要約】【課題】商品陳列棚における商品情報の表示エリアの変更を、商品陳列棚が設置されたスーパーマーケット等の店舗の現場で、容易に行うことができる電子棚札を提供する。【解決手段】商品陳列棚の前端面に備えられており、商品の情報を表示する表示エリアを、前端面に沿って形成可能な帯状の表示面を備えた表示手段１６と、商品の情報が透視可能に、該表示面に重ねて設けられるタッチ面に対する手動による接触操作により入力操作が行われるタッチパネル入力手段１７と、上記タッチ面に対する接触操作による入力操作が行われることにより、表示手段１６の表示面の表示エリアの分割、隣接する２つの表示エリア間の境界線の移動、又は、隣接する２つの表示エリアの一方の削除と他方の拡張、を行う制御手段１１，１２と、を備えて電子棚札１を構成する。【選択図】図３
2008023108.tif 000002
【特許請求の範囲】
【請求項１】
商品陳列棚の前端面に備えられており、該商品陳列棚に陳列される商品の情報を表示する表示エリアであって境界線で区切られた複数の表示エリアを、前記前端面に沿って形成可能な帯状の表示面を備えた表示手段と、
前記表示手段の表示面に表示される前記商品の情報及び前記境界線が透視可能に、該表示面に重ねて設けられるタッチ面を備えると共に、該タッチ面に対する手動による接触操作により入力操作が行われるタッチパネル入力手段と、
前記表示手段、及び、前記タッチパネル入力手段を制御する制御手段と、を備えており、
前記制御手段は、前記表示手段の表示面に形成されている表示エリアに対して、前記タッチパネル入力手段のタッチ面に対する接触操作による入力操作が行われることにより、新たな境界線の創設による前記表示エリアの分割、隣接する２つの前記表示エリア間の境界線の移動、又は、隣接する２つの前記表示エリア間の境界線の削除による該表示エリアの一方の削除と他方の拡張、を行うことを特徴とする電子棚札。
【請求項２】
前記接触操作による入力操作にタッチペンが用いられる請求項１記載の電子棚札。
【請求項３】
前記表示エリアに表示される前記商品の情報は、前記表示エリアの中央に表示される請求項１又は２記載の電子棚札。
【請求項４】
請求項１〜３のいずれか１項に記載の電子棚札であって、
前記接触操作として、前記表示手段の表示面上に形成されている前記表示エリアが透視される前記タッチパネル入力手段のタッチ面上で、創設予定の前記新たな境界線に沿った想定線上を連続して接触操作されると、
新たな境界線の創設による前記表示エリアの前記分割として、前記制御手段は、前記表示手段の表示面に形成されている表示エリアに対して、前記想定線が位置する前記表示エリアを該想定線により分割して、前記表示手段の表示面に、新たな２つの表示エリアを形成すると共に該想定線を境界線として形成する電子棚札。
【請求項５】
前記表示エリアの分割前に、前記該想定線が位置する前記表示エリアに、商品情報が既に表示されている場合、前記接触操作終了後、前記制御手段は、
分割前の前記表示エリアを、分割後に形成される２つの新たな表示エリアのいずれか一方である継承表示エリアに振当てるための選択ガイドを、該２つの表示エリアをそれぞれ表現する２つの表現表示と共に前記表示手段の表示面に表示すると共に、
前記選択ガイド及び表現表示が透視される前記タッチパネル入力手段のタッチ面上で、前記表現表示のいずれかが接触操作されることにより、該接触操作された前記表現表示が表現する表示エリアを前記継承表示エリアとし、前記商品情報を該継承表示エリアに表示する請求項４記載の電子棚札。
【請求項６】
請求項１〜３のいずれか１項に記載の電子棚札であって、
前記接触操作として、前記表示手段の表示面上に形成された表示エリアであって前記境界線を介して隣接している２つの表示エリアが、透視される前記タッチパネル入力手段のタッチ面上で、前記表示エリア間の境界線の位置から該境界線の前記移動を行う位置まで、連続して接触操作されると、
隣接する２つの前記表示エリア間の境界線の前記移動として、前記制御手段は、前記境界線を介して隣接している２つの表示エリアの前記境界線を移動予定位置に移動して、該表示エリアの一方を拡張すると共に他方を縮小し、前記表示手段の表示面に、新たな２つの表示エリアを形成すると共に移動した境界線を新たな境界線として形成する電子棚札。
【請求項７】
前記境界線の移動前に、前記隣接している２つの表示エリアの少なくとも一つに、商品情報が既に表示されている場合、前記接触操作終了後、前記制御手段は、前記境界線の移動後、該商品情報を、前記境界線の移動前に該商品情報が表示されていた表示エリアが前記境界線の移動により拡張又は縮小されて形成された新たな表示エリアに表示する請求項６記載の電子棚札。
【請求項８】
請求項１〜３のいずれか１項に記載の電子棚札であって、
前記接触操作として、前記表示手段の表示面上に形成された表示エリアであって前記境界線を介して隣接している２つの表示エリアが、透視される前記タッチパネル入力手段のタッチ面上で、前記表示エリア間の境界線の位置から、隣接する２つの前記表示エリアの内で削除予定の前記表示エリアにおける前記境界線以外の他方の境界線の位置まで、連続して接触操作されると、
隣接する２つの前記表示エリア間の境界線の前記削除による該表示エリアの一方の削除と他方の拡張として、前記制御手段は、隣接している２つの表示エリア間の境界線を削除すると共に、該２つの表示エリアの内で、連続して接触操作された前記他方の境界線を含んでいる表示エリアを削除して隣接していた他方の表示エリアを拡張し、前記表示手段の表示面に、新たな１つの表示エリアを形成する電子棚札。
【請求項９】
前記境界線の削除前に、前記隣接する２つの前記表示エリアの内、表示エリアが拡張される前記表示エリアに商品情報が既に表示されている場合、前記接触操作終了後、前記制御手段は、該商品情報を、前記境界線を削除後、拡張して形成された新たな表示エリアに表示し、
前記境界線を削除前に、前記隣接する２つの前記表示エリアの内、表示エリアが削除される前記表示エリアに商品情報が既に表示されている場合、前記接触操作終了後、前記制御手段は、該商品情報を、前記境界線を削除後、削除する請求項８記載の電子棚札。
【請求項１０】
前記商品陳列棚は、水平に設置されている請求項１〜９のいずれか１項に記載の電子棚札。
【発明の詳細な説明】
【技術分野】
【０００１】
本発明は、店舗の商品を陳列する商品陳列棚の前端面に設けられ、当該商品に関する情報を表示する電子棚札に関する。
【背景技術】
【０００２】
スーパーマーケットや小売店等の店舗では、販売する商品を商品陳列棚に陳列するのが一般的である。このような商品陳列棚を用いた商品の陳列では、商品陳列棚に陳列されている商品の名称や価格等の商品情報を、商品陳列棚に表示するのが便宜であり、一般的に行われている。しかし、この商品情報を商品陳列棚に表示する作業は、従来、人手による手作業で行われており、作業効率や作業コストの点で問題であった。
【０００３】
そこで、この商品陳列棚における商品情報を、電子的に行う電子棚札が、考案され、注目されている。(例えば、特許文献１参照)。特許文献１に記載のシステムは、電子棚ラベルシステムであり、商品陳列棚の前面に、ラベル情報を電子的に表示する表示手段を設けたものである。この電子棚ラベルシステムは、電子的にラベル情報を表示することができることから、作業効率や作業コストの点で改善が図られている。
【特許文献１】特開平７−１７６０８号公報
【発明の開示】
【発明が解決しようとする課題】
【０００４】
ところで、商品陳列棚に陳列する商品の量や位置を変更した場合に、商品情報であるラベル情報を表示する位置や範囲を変更する必要があるが、上記の電子棚ラベルシステムでは、このラベル情報を表示する位置や範囲の変更は、ラベル情報を電子的に表示する表示手段が接続されているコンピュータ上で行う必要がある。そのため、スーパーマーケットや小売店等の店舗では、商品陳列棚が設置されている現場で対処することができず、運用上、使いづらいという問題がある。
【０００５】
そこで、この発明は、このような問題を解決するためになされたものであって、商品陳列棚における商品情報を表示する位置や範囲の変更、即ち、商品情報の表示エリアの変更を、商品陳列棚が設置されたスーパーマーケットや小売店等の店舗の現場で、容易に行うことができる電子棚札を提供しようとするものである。
【課題を解決するための手段】
【０００６】
本発明の電子棚札は、表示手段、タッチパネル入力手段、及び、制御手段を備えている。この内、表示手段は、商品陳列棚の前端面に備えられた表示面を備えている。この表示面には、境界線で区切られた複数の表示エリアを、前端面に沿って形成可能であり、又、この表示エリアは該商品陳列棚に陳列される商品の情報を表示するのに用いられる。タッチパネル入力手段は、表示手段の表示面に表示される商品の情報及び境界線が透視可能に、該表示面に重ねて設けられるタッチ面を備えている。このタッチ面に対しては、手動による接触操作により入力操作が行われる。又、制御手段は、上記の表示手段、及び、タッチパネル入力手段を制御する機能を備えている。
【０００７】
上記の電子棚札では、表示手段の表示面に形成されている表示エリアに対して、タッチパネル入力手段のタッチ面に対する接触操作内容の異なる接触操作による入力操作が行われることにより、制御手段が、新たな境界線の創設による表示エリアの分割、隣接する２つの表示エリア間の境界線の移動、又は、隣接する２つの表示エリア間の境界線の削除による該表示エリアの一方の削除と他方の拡張、を行うことを特徴としている。
【０００８】
そのため、上記の電子棚札によれば、商品陳列棚における商品情報の表示エリアの変更を、上記の電子棚札に備えられているタッチパネル入力手段を用いて行うことができるので、商品陳列棚が設置されたスーパーマーケットや小売店等の店舗の現場で、容易に行うことができる。
【０００９】
上記の電子棚札において、接触操作による入力操作にタッチペンを用いるようにしてもよい。又、表示エリアに表示される商品の情報は、表示エリアの中央に表示するようにするのが好適である。
【００１０】
上記の電子棚札において、上述した「新たな境界線の創設による表示エリアの分割」は、具体的には、次のようにして行われる。即ち、上記の電子棚札において、上記の接触操作として、表示手段の表示面上に形成されている表示エリアが透視されるタッチパネル入力手段のタッチ面上で、創設予定の新たな境界線に沿った想定線上を連続して接触操作されると、上記の「新たな境界線の創設による表示エリアの分割」が行われる。
【００１１】
これは、制御手段が、表示手段の表示面に形成されている表示エリアに対して、想定線が位置する表示エリアを該想定線により分割して、表示手段の表示面に、新たな２つの表示エリアを形成すると共に該想定線を境界線として形成することで行われる。
【００１２】
上記の場合に、表示エリアの分割前に、該想定線が位置する表示エリアに、商品情報が既に表示されている場合、次のような対処が行われる。即ち、このような場合、上記の接触操作終了後、制御手段は、分割前の表示エリアを、分割後に形成される２つの新たな表示エリアのいずれか一方である継承表示エリアに振当てるための選択ガイドを、該２つの表示エリアをそれぞれ表現する２つの表現表示と共に表示手段の表示面に表示する。
【００１３】
そして、選択ガイド及び表現表示が透視されるタッチパネル入力手段のタッチ面上で、表現表示のいずれかが接触操作されることにより、制御手段は、該接触操作された表現表示が表現する表示エリアを継承表示エリアとし、上記の商品情報を該継承表示エリアに表示するのである。
【００１４】
又、上記の電子棚札において、上述した「隣接する２つの表示エリア間の境界線の移動」は、具体的には、次のようにして行われる。即ち、上記の電子棚札において、接触操作として、表示手段の表示面上に形成された表示エリアであって境界線を介して隣接している２つの表示エリアが、透視されるタッチパネル入力手段のタッチ面上で、表示エリア間の境界線の位置から該境界線の移動を行う位置まで、連続して接触操作されると、上記の「隣接する２つの表示エリア間の境界線の移動」が行われる。
【００１５】
これは、制御手段が、境界線を介して隣接している２つの表示エリアの境界線を移動予定位置に移動して、該表示エリアの一方を拡張すると共に他方を縮小し、表示手段の表示面に、新たな２つの表示エリアを形成すると共に、移動した境界線を新たな境界線として形成することで行われる。
【００１６】
上記の場合に、境界線の移動前に、隣接している２つの表示エリアの少なくとも一つに、商品情報が既に表示されている場合、次のような対処が行われる。即ち、このような場合、上記の接触操作終了後、制御手段は、境界線の移動後、上記の商品情報を、境界線の移動前に該商品情報が表示されていた表示エリアが境界線の移動により拡張又は縮小されて形成された新たな表示エリアに表示するのである。
【００１７】
又、上記の電子棚札において、上述した「隣接する２つの表示エリア間の境界線の削除による該表示エリアの一方の削除と他方の拡張」は、具体的には、次のようにして行われる。即ち、上記の電子棚札において、接触操作として、表示手段の表示面上に形成された表示エリアであって境界線を介して隣接している２つの表示エリアが、透視されるタッチパネル入力手段のタッチ面上で、表示エリア間の境界線の位置から、隣接する２つの表示エリアの内で削除予定の表示エリアにおける境界線以外の他方の境界線の位置まで、連続して接触操作されると、上記の「隣接する２つの表示エリア間の境界線の削除による該表示エリアの一方の削除と他方の拡張」が行われる。
【００１８】
これは、制御手段が、隣接する２つの表示エリア間の境界線の削除による該表示エリアの一方の削除と他方の拡張として、制御手段は、隣接している２つの表示エリア間の境界線を削除すると共に、該２つの表示エリアの内で、連続して接触操作された他方の境界線を含んでいる表示エリアを削除して隣接していた他方の表示エリアを拡張し、表示手段の表示面に、新たな１つの表示エリアを形成することで行われる。
【００１９】
上記の場合に、境界線の削除前に、隣接する２つの表示エリアの内、表示エリアが拡張される表示エリアに商品情報が既に表示されている場合、上記の接触操作終了後、制御手段は、この商品情報を、境界線を削除後、拡張して形成された新たな表示エリアに表示する。
【００２０】
又、境界線を削除前に、隣接する２つの表示エリアの内、表示エリアが削除される表示エリアに商品情報が既に表示されている場合、上記の接触操作終了後、制御手段は、この商品情報を、境界線を削除後、削除する。
【００２１】
又、上記の電子棚札では、商品陳列棚は、水平に設置するのが一般的である。
【発明の効果】
【００２２】
本発明の電子棚札によれば、商品陳列棚における商品情報の表示エリアの変更を、上記の電子棚札に備えられているタッチパネル入力手段を用いて行うことができるので、商品陳列棚が設置されたスーパーマーケットや小売店等の店舗の現場で、容易に行うことができる。
【発明を実施するための最良の形態】
【００２３】
以下、本発明の実施の形態における電子棚札について、図面を参照しながら説明する。図１は、本実施の形態における電子棚札１を用いた電子棚札システムの構成を示したブロック図である。図１において、本実施の形態における電子棚札１を用いた電子棚札システムは、スーパーマーケットや小売店等の店舗で用いられるシステムであり、複数の電子棚札１と棚札サーバ２、及び、携帯端末３で構成される。
【００２４】
本実施の形態における電子棚札１は、図２に示すように、スーパーマーケットや小売店等の店舗に設置される商品陳列台１０に、水平に備えられている商品陳列棚１０ａの前端面に備えられている。この電子棚札１は、商品陳列棚１０ａ毎に、１枚の電子棚札１が備えられる。従って、スーパーマーケットや小売店等の店舗全体では、商品陳列棚１０ａの個数と同数の電子棚札１が使用される。
【００２５】
図３は、本実施の形態における電子棚札１の構成を示したブロック図である。図３において、本実施の形態における電子棚札１は、ＣＰＵ１１、メモリ１２、無線通信部１３、操作部１４、及び、棚札部１５で構成されている。これらの各部は、ＣＰＵ１１に接続されたデータバスやアドレスバス等で構成される制御ライン１８を介して、相互に接続されている。
【００２６】
図４は、電子棚札１の外観を示したものであり、表面に棚札部１５が設けられている。この棚札部１５は、後述するように、ＬＣＤ１６とタッチパネル１７とで構成されている。又、電子棚札１の内部には、ＣＰＵ１１や、メモリ１２、アンテナを含めた無線通信部１３が内蔵されている。
【００２７】
図３において、ＣＰＵ１１は、マイクロコンピュータで構成されている。メモリ１２は、フラッシュメモリ、ＲＡＭ等で構成されており、電子棚札１を制御するのに必要なＯＳや各種の処理プログラム等のソフトウエアが格納されている。ＣＰＵ１１は、このメモリ１２に搭載されたソフトウエアにより、各種の処理を行う。
【００２８】
無線通信部１３は、アンテナを備えており、棚札サーバ２との間で、各種の情報の送受信を行う。又、無線通信部１３は、この棚札サーバ２を介して間接的に携帯端末３との間で情報の送受信を行う。操作部１４は、テンキー等のキーボードで構成されており、電子棚札１の制御に関する各種の設定等を行うのに用いられる。
【００２９】
棚札部１５は、上述したように、ＬＣＤ１６とタッチパネル１７とで構成されている。ＬＣＤ１６は、商品陳列棚１０ａに沿った帯状の表示面を備えており、この表示面は、高さ５０ｍｍ、長さ１０００ｍｍである。又、この表示面には、商品陳列棚１０ａに陳列される商品の情報を表示する表示エリアが形成される。タッチパネル１７はタッチ面を備えており、このタッチ面は、ＬＣＤ１６の表示面に表示される表示が透視可能に、ＬＣＤ１６の表示面に重ねて設けられている。
【００３０】
このタッチパネル１７からは、図５に示すように、座標データ信号が出力される。この座標データ信号は、タッチパネル１７のタッチ面をタッチペンで接触操作している間の、接触されたタッチ面上の地点における座標データの信号である。
【００３１】
タッチパネル１７のタッチ面は、ＬＣＤ１６の表示面と同様、商品陳列棚１０ａに沿った帯状をしており、高さ５０ｍｍ、長さ１０００ｍｍで、分解能は、高さ方向、長さ方向共、１ｍｍである。このタッチパネル１７のタッチ面では、高さ方向をＹ軸、長さ方向をＸ軸としており、上記の座標データ信号は、接触されたタッチ面上の点におけるＸ軸座標値とＹ軸座標値とを組み合わせたものである。このタッチパネル１７では、図６に示すように、Ｘ軸座標値は、タッチパネル１７のタッチ面の左端を０、右端を１０００とすると共に、Ｙ軸座標値は、タッチパネル１７のタッチ面の上端を０、下端を５０としている。
【００３２】
上述したように、棚札部１５では、タッチパネル１７のタッチ面は、ＬＣＤ１６の表示面に表示される表示が透視可能に、ＬＣＤ１６の表示面に重ねて設けられている。そこで、以下、ＬＣＤ１６の表示面及びタッチパネル１７のタッチ面を合わせて棚札部１５の表示面と称する。尚、以降に示す棚札部１５の表示面を表した図には、図１０に示すように、関連するＸ軸座標値を併記するものとする。
【００３３】
上記の棚札部１５の表示面をタッチペンで接触する操作としては、この表示面に接触しながら、図７(ａ)に示すように上から下へ移動させる接触操作(以下、上下ドラッグと称する)、図７(ｂ)に示すように右から左へ移動させる接触操作(以下、右左ドラッグと称する)、図７(ｃ)に示すように左から右へ移動させる接触操作(以下、左右ドラッグと称する)、そして、図７(ｄ)に示すように一点を接触する接触操作(以下、プットと称する)を用いている。
【００３４】
次に、棚札部１５における表示の仕組と、接触操作による出力信号の取込の仕組について説明する。これらの棚札部１５における表示、及び、接触操作による出力信号の取込を行うため、電子棚札１のメモリ１２には、図８に示すドラッグデータを記録するドラッグデータメモリエリア、図９に示す棚札識別データを記録する棚札識別データメモリエリア、及び、図１１に示す棚札表示データを記録する棚札表示データメモリエリアが備えられている。
【００３５】
この内、図８に示すドラッグデータは、棚札部１５の表示面をタッチペンで接触する操作により出力される座標データ信号の座標データである。この座標データは、Ｘ軸座標値とＹ軸座標値とで構成されており、このＸ軸座標値或いはＹ軸座標値のいずれかが異なる座標データが出力されると、その出力順にドラッグデータメモリエリアへ記録される。このドラッグデータメモリエリアへ記録された座標データの内、最初に出力された座標データのＸ軸座標値を、先頭データＨと称し、最後に出力された座標データのＸ軸座標値を、末尾データＥと称する。但し、プットの場合は、最初に出力された座標データのＸ軸座標値をプットデータとして、その前に行われたドラッグデータの末尾データＥの次に追加して記録する。
【００３６】
メモリ１２の棚札識別データメモリエリアに記録される図９に示す棚札識別データは、棚札識別番号を表すデータと表示エリア数を表すデータとで構成される。この内、棚札識別番号は、各電子棚札を識別する番号である。上述したように、本実施の形態における電子棚札１を用いた電子棚札システムでは、複数の電子棚札が用いられるので、これらの各電子棚札を識別する必要があり、棚札サーバ２の管理下で、各電子棚札に棚札識別番号が付与されている。
【００３７】
本実施の形態では、この棚札識別番号としては、説明の便宜上、図２の商品陳列台１０において、上段の商品陳列棚１０ａに備えられている電子棚札１の棚札識別番号を１、中段の商品陳列棚１０ａに備えられている電子棚札１の棚札識別番号を２、そして、下段の商品陳列棚１０ａに備えられている電子棚札１の棚札識別番号を３とする。図９に示す棚札識別データは、図２の商品陳列台１０における上段の商品陳列棚１０ａに備えられている電子棚札１の棚札識別データを示しており、棚札識別番号として１が記載されている。
【００３８】
又、図１０に示すように、電子棚札１の棚札部１５の表示面には、陳列される商品の情報が表示される表示エリアが形成される。このような表示エリアは、各電子棚札に最低１つ形成される。又、この表示エリアは、陳列される商品毎に形成されるので、陳列される商品が複数であれば、これと同数の複数の表示エリアが形成される。この一つの電子棚札１の棚札部１５の表示面に形成される表示エリアの個数が、棚札識別データにおける上述した表示エリア数である。
【００３９】
図１０は、棚札識別番号が１である上記の電子棚札１における棚札部１５の表示面を示したものであるが、この棚札部１５の表示面には、３個の表示エリアが形成されているので、この棚札識別番号が１の電子棚札１の棚札識別データを示す図９には、表示エリア数として３が記載されている。
【００４０】
メモリ１２の棚札表示データメモリエリアに記録される図１１に示す棚札表示データは、電子棚札１の棚札部１５の表示面に形成される表示エリアに関する棚札情報と、この表示エリアに表示される商品情報とで構成されている。これらの棚札情報及び商品情報は、次のように構成される。
【００４１】
図１０に示すように、一般に、電子棚札１の棚札部１５の表示面に形成される表示エリアには、１から始まる追番号の表示エリア番号が付与され、棚札部１５の表示面に複数の表示エリアが形成される場合は、棚札部１５の表示面の左に位置する表示エリアから右に位置する表示エリアにかけて、表示エリア１、表示エリア２、表示エリア３、・・・の順に付与される。図１０は、棚札識別番号が１の電子棚札１における棚札部１５の表示面を表示しており、この場合、３個の表示エリアが形成されている。この表示エリアに上記の商品情報が表示される。この商品情報は、商品陳列棚１０ａに陳列される商品に関する情報で、本実施の形態では、商品名と価格で構成されている。
【００４２】
又、上述したように、棚札部１５の表示面に複数の表示エリアが形成される場合は、図１０に示すように、隣接する表示エリア間に境界線が形成される。従って、一つの表示エリアは左側の境界線である左境界線と、右側の境界線である右境界線とで囲まれる。この場合における左境界線のＸ軸座標値を、左境界値Ｌと称し、右境界線のＸ軸座標値を、右境界値Ｒと称する。又、表示エリアの中央には、上述したように商品情報が表示される。この商品情報を表示する位置の中心のＸ軸座標値を、中央値Ｃと称する。上記の棚札情報は、このような各表示エリアの左境界値Ｌ、右境界値Ｒ、中央値Ｃ等で構成される。
【００４３】
尚、上述したように、複数の隣接する表示エリア間には境界線が形成されるが、実際の商品陳列棚１０ａでは、図２に示すように、棚札部１５の表示面におけるこの境界線が形成された位置と同位置の商品陳列棚１０ａ上に、商品仕切板１０ｂが配置され、陳列される商品とこの商品の情報を表示する表示エリアとの対応が正確に行われるようにしている。
【００４４】
上記の棚札情報について更に詳しく説明する。図１０は、上述したように、棚札識別番号が１の電子棚札１における棚札部１５の表示面の状態を示しており、この場合、棚札部１５の表示面に、表示エリア１〜表示エリア３の３個の表示エリアが形成されている。そして、各表示エリア間である棚札部１５の表示面のＸ軸座標値が３００と７００の地点には、境界線が形成されている。この状態を、各表示エリアについてみると、エリア番号が１の表示エリア１では、左境界値Ｌ＝０、右境界値Ｒ＝３００、中央値Ｃ＝１５０である。又、エリア番号が２の表示エリア２では、左境界値Ｌ＝３００、右境界値Ｒ＝７００、中央値Ｃ＝５００である。又、エリア番号が３の表示エリア３では、左境界値Ｌ＝７００、右境界値Ｒ＝１０００、中央値Ｃ＝８５０である。
【００４５】
図１１は、これらの棚札情報及び上述した商品情報を表したものである。即ち、図１１には、棚札情報として、形成されている表示エリアのエリア番号、各表示エリアにおける左境界値Ｌ、右境界値Ｒ、及び、中央値Ｃが棚札情報として記載されている。又、棚札情報には、棚札表示データを構成する商品名と価格でなる商品情報が実際に存在しているか否かを表す商品情報有無Ｄも含まれている。この商品情報有無Ｄは、実際に商品情報が存在していると、商品情報有無Ｄ＝１であり、実際に商品情報が存在していないと、商品情報有無Ｄ＝０である。実際に、図１０には、いずれの表示エリアにも商品情報が存在していないので、全ての表示エリアについて、商品情報有無Ｄ＝０が記載されている。又、図１１の商品情報には、商品名及び価格共に記載されていない。
【００４６】
棚札部１５の表示面の表示エリアに、商品情報が表示されている場合を示したのが、図１２に示す棚札部１５の表示面の状態、及び、図１３に示す棚札表示データである。即ち、図１３に示す棚札表示データには、全ての表示エリアの商品情報有無Ｄ＝１であると共に、商品情報が記載されている。又、図１２には、各表示エリアに、商品情報が表示されている。
【００４７】
上記の説明では、図１０に示す電子棚札１の棚札部１５における表示面の状態から、図１１に示す棚札表示データの内容を説明したが、実際には、棚札部１５の表示面の表示は、棚札表示データに基づいて行われる。この点は、図１２に示す電子棚札１の棚札部１５における表示面の状態と、図１３に示す棚札表示データについても同様である。
【００４８】
従って、棚札表示データが変更されて変化すると電子棚札１の棚札部１５における表示面の表示も変化する。又、図１１に示す棚札表示データにおける行数は、形成される表示エリアの個数である表示エリア数によって増減する。又、棚札識別データの表示エリア数も、これに伴って、変更される。又、この棚札表示データは、棚札サーバ２から送信されて、電子棚札１のメモリ１２の棚札表示データメモリエリアに記録されるが、棚札表示データメモリエリアに記録されている棚札表示データの棚札情報は、電子棚札１の棚札部１５における表示面に対する上述した上下ドラッグや右左ドラッグ、或は、左右ドラッグ等の操作により、変更することができる。そして、この変更に従って、電子棚札１の棚札部１５における表示面の表示が、変更される。
【００４９】
次に、電子棚札１の棚札部１５における表示面に対して、上述した上下ドラッグや右左ドラッグ、或は、左右ドラッグ等の操作が行われた場合の電子棚札１の動作について、説明する。この説明には、上述した各ドラッグが行われる前の状態として、次のケースを用いる。
【００５０】
まず、表示エリアに商品情報が表示されていない場合として、電子棚札１の棚札部１５における表示面に、表示エリアが一つしか形成されていない図１４に示す棚札部１５の表示面の状態、及び、図１５に示す棚札表示データを用いる。このケースをケース１と称する。又、表示エリアに商品情報が表示されていない場合として、前述の、電子棚札１の棚札部１５における表示面に表示エリアが３つ形成されている、図１０に示す棚札部１５の表示面の状態、及び、図１１に示す棚札表示データを用いる。このケースをケース２と称する。又、表示エリアに商品情報が表示されている場合として、前述の、電子棚札１の棚札部１５における表示面に同じく表示エリアが３つ形成されている、図１２に示す棚札部１５の表示面の状態、及び、図１３に示す棚札表示データを用いる。このケースをケース３と称する。又、この説明に際し、次の定義を行う。
【００５１】
即ち、棚札部１５の表示面に形成された、表示エリア番号がｎの表示エリアを、表示エリア(ｎ)と表す。従って、表示エリア(ｎ−１)は、表示エリア(ｎ)の左側に隣接する表示エリアを表し、表示エリア(ｎ＋１)は、表示エリア(ｎ)の右側に隣接する表示エリアを表す。
【００５２】
そうすると、表示エリア(ｎ)の左境界値Ｌは、表示エリア(ｎ−１)の右境界値Ｒと等しくなり、表示エリア(ｎ)の右境界値Ｒは、表示エリア(ｎ＋１)の左境界値Ｌと等しくなる。又、電子棚札１の棚札部１５の表示面に形成されている表示エリアの個数である、上述した表示エリア数を、ｍで表す。そこで、表示エリア(ｍ)は、電子棚札１の棚札部１５の表示面における最も右に位置する表示エリアを表すことになる。
【００５３】
又、ある条件を満たす表示エリアの表示エリア番号をｈ(ｈはｈｉｔを表す)で表すと共に、表示エリア番号がｈの表示エリアを表示エリア(ｈ)と表す。すると、表示エリア(ｈ)の左側に隣接する表示エリアは表示エリア(ｈ−１)と表され、表示エリア(ｈ)の右側に隣接する表示エリアは表示エリア(ｈ＋１)と表される。又、当該表示エリア(ｈ)の左境界値Ｌ、右境界値Ｒ、及び、中央値Ｃが変更される前の当該表示エリア(ｈ)を、単に表示エリア(ｈ)と称し、これらの値の少なくとも一つが変更された後の当該表示エリア(ｈ)を、新表示エリア(ｈ)と称する。
【００５４】
尚、以下の説明では、表示エリア番号が同一の表示エリアと新表示エリアとの間では、特に説明で取上げているものを除いて、表示エリアで用いられている棚札情報及び商品情報は、そのまま、新表示エリアに用いられる。又、表示エリア番号が同一の表示エリアと新表示エリアとの間で、少なくとも左境界値Ｌ又は右境界値Ｒのいずれかが異なる場合は、新表示エリアの中央値Ｃは、再計算される。
【００５５】
例えば、説明で「表示エリア(ｈ)を新表示エリア(ｈ)に変更し、この新表示エリア(ｈ)では、右境界値Ｒに先頭データＨを用いる。」とされている場合、実際には「新表示エリア(ｈ)の左境界値Ｌに表示エリア(ｈ)の左境界値Ｌを用い、新表示エリア(ｈ)の右境界値Ｒに先頭データＨを用いる。又、新表示エリア(ｈ)の中央値Ｃは新表示エリア(ｈ)の左境界値Ｌと新表示エリア(ｈ)の右境界値Ｒとを用いて再計算すると共に、新表示エリア(ｈ)の商品情報有無Ｄに表示エリア(ｈ)の商品情報有無Ｄを用い、新表示エリア(ｈ)の商品情報に表示エリア(ｈ)の商品情報を用いる。」となる。
【００５６】
又、表示エリアの棚札情報及び商品情報がそのまま引き継がれ、表示エリア番号のみが１加算されたり１減算されたりして変化することにより新表示エリアとなる場合は、表示エリアの表示エリア番号に１を加算又は減算して、新表示エリア番号とする旨の記載に留める。又、具体的場面で、商品情報が存在しない場合を、「商品情報は無し」と表現する。
【００５７】
以上を前提に、上述した本実施の形態における電子棚札１の動作説明を行う。図１６〜図１９、図２７〜図２９、及び、図３４〜図３６は、本実施の形態における電子棚札１の動作を示したフローチャートである。これらのフローチャートでは、次のような省略記号を用いている。即ち、メモリ１２のドラッグデータメモリエリアに記憶されるドラッグデータの先頭データＨを、Ｈ、末尾データＥを、Ｅ、メモリ１２の棚札表示データメモリエリアに記憶される棚札表示データの棚札情報における、表示エリアの左境界値Ｌを、Ｌ、右境界値Ｒを、Ｒ、中央値Ｃを、Ｃ、そして、商品情報有無Ｄを、Ｄと表している。
【００５８】
又、本実施の形態では、電子棚札１の動作は、上述したように、上下ドラッグ、右左ドラッグ、又は、左右ドラッグをトリガーとして行われるが、図１６のフローチャートには、このトリガーとなるドラッグ操作が、上記のいずれであるかを判断する動作を含んでいる。
【００５９】
この内、上下ドラッグは、表示エリアを分割する場合に行われる。又、右左ドラッグ、或いは、左右ドラッグは、隣接する表示エリアの境界線を移動する場合、或いは、隣接する表示エリアの境界線を削除することにより、隣接する表示エリアの一方を削除すると共に、削除した表示エリア側へ他方の表示エリアを拡張する場合に行われる。
【００６０】
尚、以下の説明において、表示エリアを分割する場合、新たな境界線が形成される点には直接触れていないが、分割前の表示エリアを新表示エリアに変更すると共にこの新表示エリアの次に新しく新表示エリアを形成して追加することに、新たな境界線の形成も含まれている。又、隣接する表示エリアの境界線を移動する場合、境界線を移動する点には直接触れていないが、当該隣接する表示エリアのそれぞれを新表示エリアに変更することに、境界線の移動も含まれている。又、隣接する表示エリアの境界線を削除することにより、隣接する表示エリアの一方を削除すると共に、削除した表示エリア側へ他方の表示エリアを拡張する場合、隣接する表示エリア間の境界線を削除する点には直接触れていないが、隣接する表示エリアの一方を削除することに、当該隣接する表示エリア間の境界線の削除も含まれている。
【００６１】
まず、図１６に示す本実施の形態における電子棚札１の基本動作を示したフローチャートについて説明する。図１６において、最初に、メモリ１２のドラッグデータメモリエリアに記憶されているドラッグデータの先頭データＨが、０又は１０００であるか否かをチェックする(Ｓ１)。これは、棚札部１５の表示面のＸ軸座標値が０及び１０００は、棚札部１５の表示面の両端であるが、本実施の形態では、このような両端を各種ドラッグの始点の対象とはしないので、このような場合を取除くためである。もし、先頭データＨが０又は１０００であれば(Ｓ２)、このような場合にあたるので、電子棚札１の動作を終了する。Ｓ２で、先頭データＨが０又は１０００でなければ、Ｓ３に進む。
【００６２】
Ｓ３では、ドラッグデータの先頭データＨを、表示エリア１〜表示エリア(ｍ)の右境界値Ｒと比較して、一致する右境界値Ｒがあるか否かをチェックする(Ｓ１０２)。これは、ドラッグ操作が上下ドラッグであるか否かを判断するものである。Ｓ３のチェックで、先頭データＨと一致する右境界値Ｒが存在しないと(Ｓ４)、ドラッグ操作は上下ドラッグであり、後述する上下ドラッグ処理を行って(Ｓ１００)、電子棚札１の動作を終了する。
【００６３】
Ｓ３のチェックで、ドラッグデータの先頭データＨと一致する右境界値Ｒが存在すると(Ｓ４)、Ｓ５に進む。
【００６４】
Ｓ５では、先頭データＨと末尾データＥとの大小比較を行う。これは、ドラッグ操作が、右左ドラッグ又は左右ドラッグのいずれであるかを判定するものである。先頭データＨ＞末尾データＥであれば(Ｓ６)、右から左へドラッグされた右左ドラッグであるので、後述する右左ドラッグ処理を行って(Ｓ２００)、電子棚札１の動作を終了する。又、先頭データＨ＞末尾データＥでなければ(Ｓ６)、先頭データＨ＜末尾データＥであるので、左から右へドラッグされた左右ドラッグであり、後述する左右ドラッグ処理を行って(Ｓ３００)、電子棚札１の動作を終了する。
【００６５】
次に、上下ドラッグ処理(Ｓ１００)について説明する。図１７〜図１９は、この上下ドラッグ処理(Ｓ１００)の動作を示したフローチャートである。まず、図１４及び図１５に示すケース１の場合において、図２０(ａ)に示すように、棚札部１５の表示面におけるＸ軸座標値４００の地点で上下ドラッグされた場合を考える。この場合、先頭データＨは４００である。この上下ドラッグは、表示エリア１を分割する場合に行われる。
【００６６】
この場合、図１６に示す基本動作を示したフローチャートによる処理により、上下ドラッグ処理(Ｓ１００)の指示が行われる。この上下ドラッグ処理(Ｓ１００)では、図１７〜図１９において、最初に、商品情報移動要フラグＦ＝０とすると共に(Ｓ１０１)、先頭データＨ＞左境界値Ｌ、且つ、先頭データＨ＜右境界値Ｒ、となるような表示エリア(ｈ)を、表示エリア１〜表示エリア(ｍ)の中から見つける(Ｓ１０２)。
【００６７】
ケース１の場合、先頭データＨ＝４００で、表示エリア１の左境界値Ｌ＝０であり、又、表示エリア１の右境界値Ｌ＝１０００であるので、表示エリア(ｈ)＝表示エリア１であれば、先頭データＨ＞左境界値Ｌ、且つ、先頭データＨ＜右境界値Ｒを満足する。従って、表示エリア(ｈ)＝表示エリア１である。
【００６８】
そして、次に、表示エリア(ｈ)の商品情報有無Ｄ＝１であるか否かをチェックし(Ｓ１０３)、商品情報有無Ｄ＝１でなければ(Ｓ１０４)、Ｓ１０８へ進む。ケース１の場合は、表示エリア(ｈ)＝表示エリア１で、表示エリア１の商品情報有無Ｄ＝０であるので、商品情報有無Ｄ＝１ではなく、Ｓ１０８へ進む。
【００６９】
Ｓ１０８では、表示エリア(ｈ)を新表示エリア(ｈ)に変更し、この新表示エリア(ｈ)では、右境界値Ｒに先頭データＨを用いて、Ｓ１０９へ進む。Ｓ１０９では、新表示エリア(ｈ)の次に、新しく新表示エリア(ｈ＋１)を形成して追加し、この新表示エリア(ｈ＋１)では、左境界値Ｌに先頭データＨを用い、右境界値Ｒに表示エリア(ｈ)の右境界値Ｒを用いると共に、商品情報有無Ｄ＝０、商品情報は無しとして、Ｓ１１０へ進む。
【００７０】
ケース１の場合、表示エリア(ｈ)＝表示エリア１、先頭データＨは４００であり、表示エリア１が新表示エリア１に変更される。この変更により、新表示エリア１が表示エリア１と異なる点は、右境界値Ｒ＝４００、中央値Ｃ＝２００となることである。又、新表示エリア２が新しく形成され、この新表示エリア２では、左境界値Ｌ＝４００、右境界値Ｒ＝１０００、中央値Ｃ＝７００、商品情報有無Ｄ＝０、商品情報は無しとなり、Ｓ１１０へ進む。
【００７１】
Ｓ１１０では、表示エリア(ｈ)の次以降に他の表示エリアが存在するか否かをチェックし、存在しない場合は、Ｓ１１２をパスしてＳ１１３へ進む。ケース１の場合、表示エリアは１つしかないので、他の表示エリアは存在せず、Ｓ１１３へ進む。Ｓ１１３では、商品情報移動要フラグＦ＝１であるか否かをチェックするが、商品情報移動要フラグＦは、セットされていないので、電子棚札１の動作を終了する。従って、棚札表示データは、図２１のようになり、棚札部１５の表示面の表示は、図２０(ｂ)のようになる。
【００７２】
このように、電子棚札１の棚札部１５における表示面に表示エリアが一つしか形成されていない場合、棚札部１５の表示面において、表示エリアを分割したい地点で上下ドラッグすることにより、棚札部１５の表示面の表示エリアを分割することができる。
【００７３】
次に、図１０及び図１１に示すケース２の場合において、図２２(ａ)に示すように、棚札部１５における表示面のＸ軸座標値６００の地点で上下ドラッグされた場合を考える。このケースをケース２Ａとする。この場合、表示エリア数ｍ＝３である。又、先頭データＨは６００である。この上下ドラッグは、ケース１と同様、表示エリアを分割する場合に行われる。
【００７４】
この場合、図１６の基本動作を示したフローチャートによる処理により、ケース１と同様、上下ドラッグ処理(Ｓ１００)の指示が行われる。この上下ドラッグ処理(Ｓ１００)は、図１７〜図１９において、ケース１と同様、最初に、商品情報移動要フラグＦ＝０とすると共に(Ｓ１０１)、先頭データＨ＞左境界値Ｌ、且つ、先頭データＨ＜右境界値Ｒ、となるような表示エリア(ｈ)を、表示エリア１〜表示エリア(ｍ)の中から見つける(Ｓ１０２)。ケース２Ａの場合、先頭データＨ＝６００であり、表示エリア２の左境界値Ｌ＝３００、右境界値Ｒ＝７００であるので、表示エリア(ｈ)＝表示エリア２であれば、先頭データＨ＞左境界値Ｌ、且つ、先頭データＨ＜右境界値Ｒを満足する。従って、表示エリア(ｈ)＝表示エリア２である。
【００７５】
そして、次に、表示エリア(ｈ)の商品情報有無Ｄ＝１であるか否かをチェックし(Ｓ１０３)、商品情報有無Ｄ＝１でなければ(Ｓ１０４)、Ｓ１０８へ進む。ケース２Ａの場合は、表示エリア(ｈ)＝表示エリア２であり、表示エリア２の商品情報有無Ｄ＝０であるので、商品情報有無Ｄ＝１ではなく、Ｓ１０８へ進む。
【００７６】
Ｓ１０８では、表示エリア(ｈ)を新表示エリア(ｈ)に変更し、この新表示エリア(ｈ)では、右境界値Ｒに先頭データＨを用いて、Ｓ１０９へ進む。Ｓ１０９では、新表示エリア(ｈ)の次に、新しく新表示エリア(ｈ＋１)を形成して追加し、この新表示エリア(ｈ＋１)では、左境界値Ｌに先頭データＨを用い、右境界値Ｒに表示エリア(ｈ)の右境界値Ｒを用いると共に、商品情報有無Ｄ＝０、商品情報は無しとして、Ｓ１１０へ進む。
【００７７】
ケース２Ａの場合、表示エリア(ｈ)＝表示エリア２、先頭データＨは６００であり、表示エリア２は新表示エリア２に変更される。この変更により、新表示エリア２が表示エリア２と異なる点は、右境界値Ｒ＝６００、中央値Ｃ＝４５０となることである。又、新表示エリア３が新しく形成され、この新表示エリア３では、左境界値Ｌ＝６００、右境界値Ｒ＝７００、中央値Ｃ＝６５０、商品情報有無Ｄ＝０、商品情報は無しとなり、Ｓ１１０へ進む。
【００７８】
Ｓ１１０では、表示エリア(ｈ)の次以降に他の表示エリアが存在するか否かチェックし、存在する場合は、Ｓ１１２へ進む。ケース２Ａの場合、表示エリア(ｈ)＝表示エリア２であり、表示エリア２の次以降に表示エリア３が存在するので、Ｓ１１２へ進む。Ｓ１１２では、表示エリア(ｈ)の次以降に存在する全ての表示エリアの表示エリア番号に１を加算して、新表示エリア番号として、Ｓ１１３へ進む。ケース２Ａの場合、表示エリア２の次に存在する表示エリア３の表示エリア番号に１を加算して新表示エリア番号４として、Ｓ１１３へ進む。
【００７９】
Ｓ１１３では、商品情報移動要フラグＦ＝１であるか否かをチェックし、商品情報移動要フラグＦ＝１でなければ、電子棚札１の動作を終了する。ケース２Ａの場合、商品情報移動要フラグＦ＝０のままであるので、商品情報移動要フラグＦ＝１ではなく、電子棚札１の動作を終了する。従って、棚札表示データは、図２３のようになり、棚札部１５の表示面の表示は、図２２(ｂ)のようになる。
【００８０】
次に、図１２及び図１３に示すケース３の場合において、図２４(ａ)に示すように、棚札部１５における表示面のＸ軸座標値６００の地点で上下ドラッグされた場合を考える。このケースをケース３Ａとする。この場合、ケース２Ａと同様、表示エリア数ｍ＝３である。又、先頭データＨは６００である。この上下ドラッグは、ケース２Ａと同様、表示エリアを分割する場合に行われる。このケース３Ａがケース２Ａと異なるのは、図１３に示すケース３の棚札表示データから分かるように、各表示エリアの商品情報有無Ｄ＝１であり、図１２に示す棚札部１５の表示面のように、棚札部１５における表示面に形成されている各表示エリアには、商品情報が表示されている点である。
【００８１】
この場合、図１６に示す基本動作を示したフローチャートによる処理により、ケース２Ａと同様、図１７に示す上下ドラッグ処理(Ｓ１００)の指示が行われる。この上下ドラッグ処理(Ｓ１００)において、Ｓ１０１及びＳ１０２の処理は、ケース２Ａと全く同じであるので、Ｓ１０３から説明する。
【００８２】
Ｓ１０３では、表示エリア(ｈ)の商品情報有無Ｄ＝１であるか否かをチェックし(Ｓ１０３)、商品情報有無Ｄ＝１であれば、Ｓ１０５へ進む。ケース３Ａの場合は、表示エリア(ｈ)＝表示エリア２で、表示エリア２の商品情報有無Ｄ＝１であるので、Ｓ１０５へ進む。
【００８３】
Ｓ１０５では、商品情報移動要フラグＦ＝１とする。そして、図２４(ｂ)に示すように、新たに形成する新表示エリア(ｈ＋１)を左右いずれの側に設けるかを選択させるガイダンスを表示すると共に(図２４(ｂ)では、「どちら側に追加しますか」と表示)、「左」及び「右」と表示したタッチ入力用ボタンを表示する(Ｓ１０６)。このタッチ入力用ボタンが、前述した表現表示に該当する。このタッチ入力用ボタンに対するプット操作が終了するのを待って(Ｓ１０７)、Ｓ１０８へ進む。
【００８４】
次にＳ１０８〜Ｓ１１２の処理が行われるが、この処理も、ケース２Ａと全く同じであるので、Ｓ１１３から説明する。但し、Ｓ１０８では、新表示エリア(ｈ)である新表示エリア２の商品情報有無Ｄ＝１、新表示エリア２の商品情報は表示エリア２の商品情報を用いる、となり、Ｓ１０９では、新表示エリア(ｈ＋１)である新表示エリア３の商品情報有無Ｄ＝０、新表示エリア３の商品情報は無し、となる。
【００８５】
Ｓ１１３では、商品情報移動要フラグＦ＝１であるか否かチェックし、商品情報移動要フラグＦ＝１であれば、Ｓ１１４へ進む。ケース３Ａの場合、Ｓ１０５で商品情報移動要フラグＦ＝１となっているので、Ｓ１１４へ進む。
【００８６】
Ｓ１１４では、メモリ１２のドラッグデータメモリエリアに記録されているプットデータから、新表示エリアを左右いずれの側に設けるか判断する。この判断が、右側であれば、Ｓ１１６に進み、左側であれば、Ｓ１１７に進む。ケース３Ａの場合、図２４(ｂ)で「右」がプットされるとＳ１１６に進み、「左」がプットされるとＳ１１７に進む。
【００８７】
Ｓ１１６では、表示エリア(ｈ)の商品情報をそのまま新表示エリア(ｈ)の商品情報として使用する。そして、電子棚札１の動作を終了する。この場合、この新表示エリア(ｈ)が、前述の継承表示エリアに該当する。
【００８８】
ケース３Ａの場合、図２４(ｂ)で「右」がプットされると、表示エリア２の商品情報をそのまま新表示エリア２の商品情報として使用する。従って、棚札表示データは、図２５のようになり、棚札部１５の表示面の表示は、図２４(ｃ)のようになる。
【００８９】
Ｓ１１７では、表示エリア(ｈ)の商品情報を、新しく形成された新表示エリア(ｈ＋１)へ移すと共に、新表示エリア(ｈ＋１)の商品情報有無Ｄ＝１とする。又、新表示エリア(ｈ)では、商品情報有無Ｄ＝０に、商品情報は無しにそれぞれ変更して、電子棚札１の動作を終了する。この場合、この新表示エリア(ｈ＋１)が、前述の継承表示エリアに該当する。
【００９０】
ケース３Ａの場合、表示エリア(ｈ)＝表示エリア２であるので、図２４(ｂ)で「左」がプットされると、表示エリア２の商品情報は、新しく形成された新表示エリア３へ移されると共に、新表示エリア３の商品情報有無Ｄ＝１となる。又、新表示エリア２では、商品情報有無Ｄ＝０、新表示エリア２の商品情報は無しとなる。従って、棚札表示データは、図２６のようになり、棚札部１５の表示面の表示は、図２４(ｄ)のようになる。
【００９１】
次に、右左ドラッグ処理(Ｓ２００)について説明する。図２７〜図２９は、右左ドラッグ処理(Ｓ２００)の動作を示したフローチャートである。この右左ドラッグ処理(Ｓ２００)は、隣接する表示エリアの境界線上を始点として、左に向かってドラッグを行った場合の処理に関するものである。即ち、ドラッグの終点は、ドラッグの始点よりも左側に有る場合である。
【００９２】
まず、図１０及び図１１に示すケース２の場合において、図３０(ａ)に示すように、棚札部１５における表示面のＸ軸座標値７００の地点に存在する、表示エリア２と表示エリア３との境界線上を始点として、Ｘ軸座標値５００の地点に向けて右左ドラッグされた場合を考える。このケースをケース２Ｂとする。この場合、表示エリア数ｍ＝３である。又、先頭データＨは７００、末尾データＥは５００である。この右左ドラッグは、表示エリアの境界線を移動する場合に行われる。
【００９３】
図２７に示す右左ドラッグ処理(Ｓ２００)のフローチャートにおいて、最初に、先頭データＨを、表示エリア１〜表示エリア(ｍ)の右境界値Ｒと比較して一致する表示エリア(ｈ)を見つけて(Ｓ２０１)、Ｓ２０２に進む。
【００９４】
ケース２Ｂの場合、先頭データＨ＝７００であるのに対して、表示エリア２の右境界値Ｒ＝７００であるので、先頭データＨが、右境界値Ｒと一致する表示エリア(ｈ)＝表示エリア２であり、Ｓ２０２に進む。
【００９５】
Ｓ２０２では、末尾データＥが、表示エリア(ｈ)の左境界値Ｌ以下であるか否かをチェックする(Ｓ２０２)。末尾データＥが、表示エリア(ｈ)の左境界値Ｌ以下でない場合は(Ｓ２０３)、右左ドラッグの終点は、表示エリア(ｈ)の左境界線には至っておらず、この場合は、表示エリアの境界線を移動する場合であるので、後述する右左ドラッグ境界線移動処理を行って(Ｓ２１０)、電子棚札１の動作を終了する。
【００９６】
ケース２Ｂの場合、末尾データＥ＝５００であり、表示エリア(ｈ)＝表示エリア２、表示エリア２の左境界値Ｌ＝３００であるので、末尾データＥは、表示エリア(ｈ)の左境界値Ｌ以下でなく(Ｓ２０３)、上述したように、後述する右左ドラッグ境界線移動処理を行うことになる(Ｓ２１０)。
【００９７】
図２８は、右左ドラッグ境界線移動処理を示したフローチャートである。図２８において、まず、Ｓ２１１で、表示エリア(ｈ)を新表示エリア(ｈ)に変更し、この新表示エリア(ｈ)では、右境界値Ｒに末尾データＥを用いて、Ｓ２１２へ進む。Ｓ２１２では、表示エリア(ｈ＋１)を新表示エリア(ｈ＋１)に変更し、この新表示エリア(ｈ＋１)では、左境界値Ｌに末尾データＥを用いて、電子棚札１の動作を終了する。
【００９８】
ケース２Ｂの場合、表示エリア(ｈ)＝表示エリア２、表示エリア(ｈ＋１)＝表示エリア３、末尾データＥ＝５００であり、表示エリア２は新表示エリア２に変更され、表示エリア３は新表示エリア３に変更される。この変更により、新表示エリア２が表示エリア２と異なる点は、右境界値Ｒ＝５００、中央値Ｃ＝４００となることであり、新表示エリア３が表示エリア３と異なる点は、左境界値Ｌ＝５００、中央値Ｃ＝７５０となることである。従って、棚札表示データは、図３１のようになり、棚札部１５の表示面の表示は、図３０(ｂ)のようになる。
【００９９】
次に、図１０及び図１１に示すケース２の場合において、図３２(ａ)に示すように、棚札部１５における表示面のＸ軸座標値７００の地点に存在する表示エリア２と表示エリア３との境界線上を始点として、Ｘ軸座標値３００の地点に存在する表示エリア１と表示エリア２との境界線に向けて右左ドラッグされた場合を考える。このケースをケース２Ｃとする。この場合、表示エリア数ｍ＝３である。又、先頭データＨは７００、末尾データＥは３００である。この右左ドラッグは、表示エリア２を削除すると共に、表示エリア３を表示エリア２の部分に拡張する場合に行われる。
【０１００】
図２７に示す右左ドラッグ処理(Ｓ２００)のフローチャートにおいて、最初に、ケース２Ｂと同様、先頭データＨを、表示エリア１〜表示エリア(ｍ)の右境界値Ｒと比較して一致する表示エリア(ｈ)を探して(Ｓ２０１)、Ｓ２０２に進む。
【０１０１】
ケース２Ｃの場合、ケース２Ｂと同様、先頭データＨ＝７００であるのに対して、表示エリア２の右境界値Ｒ＝７００であるので、先頭データＨが、右境界値Ｒと一致する表示エリア(ｈ)＝表示エリア２であり、Ｓ２０２に進む。
【０１０２】
Ｓ２０２では、末尾データＥが、表示エリア(ｈ)の左境界値Ｌ以下であるか否かをチェックする(Ｓ２０２)。末尾データＥが、表示エリア(ｈ)の左境界値Ｌ以下である場合は(Ｓ２０３)、右左ドラッグの終点は、表示エリア(ｈ)の左境界線に至っており、この場合は、表示エリア(ｈ)を削除する場合であるので、後述する右左ドラッグ表示エリア削除処理を行って(Ｓ２２０)、電子棚札１の動作を終了する。
【０１０３】
ケース２Ｃの場合、末尾データＥ＝３００であり、表示エリア(ｈ)＝表示エリア２、表示エリア２の左境界値Ｌ＝３００であるので、末尾データＥは、表示エリア(ｈ)の左境界値Ｌ以下であり(Ｓ２０３)、上述したように、後述する右左ドラッグ表示エリア削除処理を行うことになる(Ｓ２２０)。
【０１０４】
図２９は、右左ドラッグ表示エリア削除処理を示したフローチャートである。図２９において、まず、Ｓ２２１で、表示エリア(ｈ)を削除する。そしてＳ２２２で、表示エリア(ｈ＋１)を新表示エリア(ｈ)に変更し、この新表示エリア(ｈ)では、右境界値Ｒに表示エリア(ｈ＋１)の右境界値Ｒを用いると共に、表示エリア(ｈ＋１)の商品情報有無Ｄ及び商品情報を、新表示エリア(ｈ)へ移して、Ｓ２２３へ進む。
【０１０５】
ケース２Ｃの場合、表示エリア(ｈ)＝表示エリア２、表示エリア(ｈ＋１)＝表示エリア３、表示エリア３の右境界値Ｒ＝１０００であり、表示エリア２が削除されると共に、表示エリア３は新表示エリア２に変更される。この変更により、この新表示エリア２が表示エリア２と異なる点は、右境界値Ｒ＝１０００、中央値Ｃ＝６５０、商品情報有無Ｄに表示エリア３の商品情報有無Ｄを用い、商品情報に表示エリア３の商品情報を用いることである。そして、次に、Ｓ２２３へ進む。
【０１０６】
Ｓ２２３では、表示エリア(ｈ＋１)の次以降に他の表示エリアが存在するかチェックし(２２４)、存在しない場合は、電子棚札１の動作を終了する。存在する場合は、Ｓ２２５へ進む。Ｓ２２５では、表示エリア(ｈ＋１)の次以降に存在する全ての表示エリアの表示エリア番号から１を減算して、新表示エリア番号として、電子棚札１の動作を終了する。
【０１０７】
ケース２Ａの場合、表示エリア(ｈ＋１)＝表示エリア３であり、表示エリア３の次に表示エリアは存在しないので、表示エリア(ｈ＋１)の次以降に存在する全ての表示エリアの表示エリア番号から１を減算する処理は行わずに、電子棚札１の動作を終了する。従って、棚札表示データは、図３３のようになり、棚札部１５の表示面の表示は、図３２(ｂ)のようになる。
【０１０８】
上記の右左ドラッグ処理(Ｓ２００)において、図１２及び図１３に示すケース３の場合は、図１０及び図１１に示すケース２の場合と比べて、ドラッグを行う前の電子棚札１の棚札表示データにおける各表示エリアの棚札表示データの商品情報有無Ｄ＝１であり、棚札部１５における表示面に形成されている各表示エリアに、商品情報が表示されている点が異なるのみであり、右左ドラッグ処理(Ｓ２００)の処理フローとしては、ケース２の場合と全く同じであるので、説明を省略する。
【０１０９】
次に、左右ドラッグ処理(Ｓ３００)について説明する。図３４〜図３６は、左右ドラッグ処理(Ｓ３００)の動作を示したフローチャートである。この左右ドラッグ処理(Ｓ３００)は、隣接する表示エリアの境界線上を始点として、右に向かってドラッグを行った場合の処理に関するものである。即ち、ドラッグの終点は、ドラッグの始点よりも右側に有る場合である。
【０１１０】
まず、図１０及び図１１に示すケース２の場合において、図３７(ａ)に示すように、棚札部１５における表示面のＸ軸座標値３００の地点に存在する表示エリア１と表示エリア２との境界線上を始点として、Ｘ軸座標値４００の地点に向けて左右ドラッグされた場合を考える。このケースをケース２Ｄとする。この場合、表示エリア数ｍ＝３である。又、先頭データＨは３００、末尾データＥは４００である。この左右ドラッグは、表示エリアの境界線を移動する場合に行われる。
【０１１１】
図３４に示す左右ドラッグ処理(Ｓ３００)のフローチャートにおいて、最初に、先頭データＨを、表示エリア１〜表示エリア(ｍ)の左境界値Ｌと比較して一致する表示エリア(ｈ)を見つけて(Ｓ３０１)、Ｓ３０２に進む。
【０１１２】
ケース２Ｄの場合、先頭データＨ＝３００であるのに対して、表示エリア２の左境界値Ｌ＝３００であるので、先頭データＨが、左境界値Ｌと一致する表示エリア(ｈ)＝表示エリア２であり、Ｓ３０２に進む。
【０１１３】
Ｓ３０２では、末尾データＥが、表示エリア(ｈ)の右境界値Ｒ以上であるか否かをチェックする(Ｓ３０２)。末尾データＥが、表示エリア(ｈ)の右境界値Ｒ以上でない場合は(Ｓ３０３)、左右ドラッグの終点は、表示エリア(ｈ)の右境界線には至っておらず、この場合は、表示エリアの境界線を移動する場合であるので、後述する左右ドラッグ境界線移動処理を行って(Ｓ３１０)、電子棚札１の動作を終了する。
【０１１４】
ケース２Ｄの場合、末尾データＥ＝４００であり、表示エリア(ｈ)＝表示エリア２、表示エリア２の右境界値Ｒ＝７００であるので、末尾データＥは、表示エリア(ｈ)の右境界値Ｒ以上でなく(Ｓ３０３)、上述したように、後述する左右ドラッグ境界線移動処理を行うことになる(Ｓ３１０)。
【０１１５】
図３５は、左右ドラッグ境界線移動処理を示したフローチャートである。図３５において、まず、Ｓ３１１で、表示エリア(ｈ)を新表示エリア(ｈ)に変更し、この新表示エリア(ｈ)では、左境界値Ｌに末尾データＥを用いて、Ｓ３１２へ進む。Ｓ３１２では、表示エリア(ｈ―１)を新表示エリア(ｈ―１)に変更し、この新表示エリア(ｈ―１)では、右境界値Ｒに末尾データＥを用いて、電子棚札１の動作を終了する。
【０１１６】
ケース２Ｄの場合、表示エリア(ｈ)＝表示エリア２、表示エリア(ｈ―１)＝表示エリア１、末尾データＥ＝４００であり、表示エリア２は新表示エリア２に変更され、表示エリア１は新表示エリア１に変更される。この変更により、新表示エリア２が表示エリア２と異なる点は、左境界値Ｌ＝４００、中央値Ｃ＝５５０となることであり、新表示エリア１が表示エリア１と異なる点は、右境界値Ｒ＝４００、中央値Ｃ＝２００となることである。従って、棚札表示データは、図３８のようになり、棚札部１５の表示面の表示は、図３７(ｂ)のようになる。
【０１１７】
次に、図１０及び図１１に示すケース２の場合において、図３９(ａ)に示すように、棚札部１５における表示面のＸ軸座標値３００の地点に存在する表示エリア１と表示エリア２との境界線上を始点として、Ｘ軸座標値７００の地点に存在する表示エリア２と表示エリア３との境界線に向けて左右ドラッグされた場合を考える。このケースをケース２Ｅとする。この場合、表示エリア数ｍ＝３である。又、先頭データＨは３００、末尾データＥは７００である。この左右ドラッグは、表示エリア２を削除すると共に、表示エリア１を表示エリア２の部分に拡張する場合に行われる。
【０１１８】
図３４に示す左右ドラッグ処理(Ｓ３００)のフローチャートにおいて、最初に、ケース２Ｄと同様、先頭データＨを、表示エリア１〜表示エリア(ｍ)の左境界値Ｌと比較して一致する表示エリア(ｈ)を探して(Ｓ３０１)、Ｓ３０２に進む。
【０１１９】
ケース２Ｅの場合、ケース２Ｄと同様、先頭データＨ＝３００であるのに対して、表示エリア２の左境界値Ｌ＝３００であるので、先頭データＨが、左境界値Ｌと一致する表示エリア(ｈ)＝表示エリア２であり、Ｓ３０２に進む。
【０１２０】
Ｓ３０２では、末尾データＥが、表示エリア(ｈ)の右境界値Ｒ以上であるか否かをチェックする(Ｓ３０２)。末尾データＥが、表示エリア(ｈ)の右境界値Ｒ以上である場合は(Ｓ３０３)、左右ドラッグの終点は、表示エリア(ｈ)の右境界線に至っており、この場合は、表示エリア(ｈ)を削除する場合であるので、後述する左右ドラッグ表示エリア削除処理を行って(Ｓ３２０)、電子棚札１の動作を終了する。
【０１２１】
ケース２Ｅの場合、末尾データＥ＝７００であり、表示エリア(ｈ)＝表示エリア２、表示エリア２の右境界値Ｒ＝７００であるので、末尾データＥは、表示エリア(ｈ)の右境界値Ｒ以上であり(Ｓ３０３)、上述したように、後述する左右ドラッグ表示エリア削除処理を行うことになる(Ｓ３２０)。
【０１２２】
図３６は、左右ドラッグ表示エリア削除処理を示したフローチャートである。図３６において、まず、Ｓ３２１で、表示エリア(ｈ)を削除する。そして、Ｓ３２２で、表示エリア(ｈ−１)を新表示エリア(ｈ−１)に変更し、この新表示エリア(ｈ−１)では、右境界値Ｒに表示エリア(ｈ)の右境界値Ｒを用いて、Ｓ３２３へ進む。
【０１２３】
ケース２Ｅの場合、表示エリア(ｈ)＝表示エリア２、表示エリア(ｈ−１)＝表示エリア１、表示エリア２の右境界値Ｒ＝７００であり、表示エリア１は新表示エリア１に変更される。この変更により、新表示エリア１が表示エリア１と異なる点は、右境界値Ｒ＝７００、中央値Ｃ＝３５０であることである。そして、次に、Ｓ３２３へ進む。
【０１２４】
Ｓ３２３では、表示エリア(ｈ)の次以降に他の表示エリアが存在するかチェックし(３２４)、存在しない場合は、電子棚札１の動作を終了する。存在する場合は、Ｓ３２５へ進む。Ｓ３２５では、表示エリア(ｈ)の次以降に存在する全ての表示エリアの表示エリア番号から１を減算して、新表示エリア番号として、電子棚札１の動作を終了する。
【０１２５】
ケース２Ｅの場合、表示エリア(ｈ)＝表示エリア２であり、表示エリア２の次に表示エリア３が存在するので、表示エリア２の次以降に存在する表示エリア３の表示エリア番号３から１を減算して新表示エリア番号２として、電子棚札１の動作を終了する。従って、棚札表示データは、図４０のようになり、棚札部１５の表示面の表示は、図３９(ｂ)のようになる。
【０１２６】
上記の左右ドラッグ処理(Ｓ３００)において、図１２及び図１３に示すケース３の場合は、図１０及び図１１に示すケース２の場合と比べて、ドラッグを行う前の電子棚札１の棚札表示データにおける各表示エリアの棚札表示データの商品情報有無Ｄ＝１であり、棚札部１５における表示面に形成されている各表示エリアに、商品情報が表示されている点が異なるのみであり、左右ドラッグ処理(Ｓ３００)の処理フローとしては、ケース２の場合と全く同じであるので、説明を省略する。
【０１２７】
上記の本実施の形態における電子棚札１は、上述したように、棚札サーバ２と無線を介して接続されていると共に、この棚札サーバ２を介して間接的に携帯端末３とも無線で接続されている。そこで、電子棚札１のメモリ１２の棚札表示データメモリエリアに記録される棚札表示データの棚札情報が、上述した上下ドラッグ処理や、右左ドラッグ処理、或いは、左右ドラッグ処理により変更されると、変更された情報は直ちに棚札サーバ２に送信され、棚札サーバ２が備える棚札サーバデータが更新される。そこで、この更新された棚札サーバデータに対して、携帯端末３から情報を送信することにより、例えば、新たに設けられた表示エリアに対して、商品名や価格を設定することができる。
【０１２８】
上記の本実施の形態における電子棚札１によれば、商品陳列台１０の商品陳列棚１０ａの前端面に備えられる電子棚札１の棚札部１５の表示面をドラッグするだけで、この表示面に形成されている商品陳列棚における商品情報の表示エリアを変更することができるので、商品陳列棚が設置されたスーパーマーケットや小売店等の店舗の現場で、容易に行うことができる。
【０１２９】
上記の本実施の形態における電子棚札１では、電子棚札１の棚札部１５の表示面に形成される隣接する表示エリア間には境界線が形成され、この境界線は、可視状態で表示されるが、この境界線を、棚札部１５の表示面に表示しないようにしてもよい。
【０１３０】
又、上記の本実施の形態における電子棚札１では、電子棚札１の棚札部１５の表示面を、タッチペンを用いてドラッグしているが、タッチペンを用いずに、人間の指で行うようにしてもよい。
【０１３１】
又、上記の本実施の形態における電子棚札１では、電子棚札１の棚札部１５のＬＣＤ１６及びタッチパネル１７の大きさが、高さ５０ｍｍ、長さ１０００ｍｍであるが、ＬＣＤ１６及びタッチパネル１７の大きさは、これには限られず、商品陳列台１０の商品陳列棚１０ａに適合するものであれば、いかなる大きさでもよい。
【０１３２】
又、上記の本実施の形態における電子棚札１では、メモリ１２の棚札表示データメモリエリアに記録される棚札表示データの表品情報としては、商品名と価格のみであるが、これら以外の他の情報、例えば、バーコード等の商品ＩＤや、当該商品に対するキャッチコピー、販売期間等を加えるようにしてもよい。又、棚札表示データの棚札情報として、棚札ＩＤ等を加えるようにしてもよい。又、上記の本実施の形態における電子棚札１では、電子棚札１の棚札部１５の表示面に形成される表示エリアに表示されるのは、商品名と価格のみであるが、これら以外の情報として、上記のキャッチコピー等を表示するようにしてもよい。
【０１３３】
又、上記の本実施の形態における電子棚札１では、水平に設置されている商品陳列台１０の商品陳列棚１０ａの１段に、１つの電子棚札１が備えられているが、商品陳列台１０が大きくて、１段の商品陳列台１０ａが長い場合に、複数の電子棚札１を備えるようにしてもよい。図４１は、このような場合の例を示したものであり、１段の商品陳列台１０ａに３つの電子棚札１が備えられている。
【０１３４】
又、上記の本実施の形態における電子棚札１では、電子棚札１が備えられる商品陳列棚１０ａは水平方向に長い形状をしており、電子棚札１は長手方向が水平になるようにして使用されているが、図４２に示すように、電子棚札１は長手方向が垂直になるようにして使用するようにしてもよい。
【図面の簡単な説明】
【０１３５】
【図１】本実施の形態の電子棚札を用いた電子棚札システムの構成を示したブロック図である。
【図２】本実施の形態の電子棚札が用いられる商品陳列台の外観図である。
【図３】本実施の形態の電子棚札の構成を示したブロック図である。
【図４】本実施の形態の電子棚札の外観図である。
【図５】本実施の形態の電子棚札のタッチパネルの出力信号を示した説明図である。
【図６】本実施の形態の電子棚札のタッチパネルの座標構成を示した説明図である。
【図７】(ａ)、(ｂ)、(ｃ)及び(ｄ)は、本実施の形態の電子棚札の棚札部の表示面に対する接触操作の種類を示した説明図である。
【図８】本実施の形態の電子棚札のドラッグデータの構成図である。
【図９】本実施の形態の電子棚札の棚札識別データの構成図である。
【図１０】本実施の形態の電子棚札の棚札部の表示面の状態図(ケース２)である。
【図１１】本実施の形態の電子棚札の棚札表示データの構成図(ケース２)である。
【図１２】本実施の形態の電子棚札の棚札部の表示面の状態図(ケース３)である。
【図１３】本実施の形態の電子棚札の棚札表示データの構成図(ケース３)である。
【図１４】本実施の形態の電子棚札の棚札部の表示面の状態図(ケース１)である。
【図１５】本実施の形態の電子棚札の棚札表示データの構成図(ケース１)である。
【図１６】本実施の形態の電子棚札の基本動作を示したフローチャートである。
【図１７】本実施の形態の電子棚札の上下ドラッグ処理を示したフローチャート(その１)である。
【図１８】本実施の形態の電子棚札の上下ドラッグ処理を示したフローチャート(その２)である。
【図１９】本実施の形態の電子棚札の上下ドラッグ処理を示したフローチャート(その３)である。
【図２０】本実施の形態の電子棚札の上下ドラッグ処理のケース１における、(ａ)は、処理開始時の棚札部の表示面の状態図、(ｂ)は、処理終了時の棚札部の表示面の状態図である。
【図２１】本実施の形態の電子棚札の上下ドラッグ処理のケース１における処理終了時の棚札表示データの構成図である。
【図２２】本実施の形態の電子棚札の上下ドラッグ処理のケース２Ａにおける、(ａ)は、処理開始時の棚札部の表示面の状態図、(ｂ)は、処理終了時の棚札部の表示面の状態図である。
【図２３】本実施の形態の電子棚札の上下ドラッグ処理のケース２Ａにおける処理終了時の棚札表示データの構成図である。
【図２４】本実施の形態の電子棚札の上下ドラッグ処理のケース３Ａにおける、(ａ)は、処理開始時の棚札部の表示面の状態図、(ｂ)は、処理途中時の棚札部の表示面の状態図、(ｃ)は、右を選択した場合の処理終了時の棚札部の表示面の状態図、(ｄ)は、左を選択した場合の処理終了時の棚札部の表示面の状態図である。
【図２５】本実施の形態の電子棚札の上下ドラッグ処理のケース３Ａにおける右を選択した場合の処理終了時の棚札表示データの構成図である。
【図２６】本実施の形態の電子棚札の上下ドラッグ処理のケース３Ａにおける左を選択した場合の処理終了時の棚札表示データの構成図である。
【図２７】本実施の形態の電子棚札の右左ドラッグ処理を示したフローチャートである。
【図２８】本実施の形態の電子棚札の右左ドラッグ境界移動処理を示したフローチャートである。
【図２９】本実施の形態の電子棚札の右左ドラッグ表示エリア削除処理を示したフローチャートである。
【図３０】本実施の形態の電子棚札の右左ドラッグ処理のケース２Ｂにおける、(ａ)は、処理開始時の棚札部の表示面の状態図、(ｂ)は、処理終了時の棚札部の表示面の状態図である。
【図３１】本実施の形態の電子棚札の右左ドラッグ処理のケース２Ｂにおける処理終了時の棚札表示データの構成図である。
【図３２】本実施の形態の電子棚札の右左ドラッグ処理のケース２Ｃにおける、(ａ)は、処理開始時の棚札部の表示面の状態図、(ｂ)は、処理終了時の棚札部の表示面の状態図である。
【図３３】本実施の形態の電子棚札の右左ドラッグ処理のケース２Ｃにおける処理終了時の棚札表示データの構成図である。
【図３４】本実施の形態の電子棚札の左右ドラッグ処理を示したフローチャートである。
【図３５】本実施の形態の電子棚札の左右ドラッグ境界移動処理を示したフローチャートである。
【図３６】本実施の形態の電子棚札の左右ドラッグ表示エリア削除処理を示したフローチャートである。
【図３７】本実施の形態の電子棚札の左右ドラッグ処理のケース２Ｄにおける、(ａ)は、処理開始時の棚札部の表示面の状態図、(ｂ)は、処理終了時の棚札部の表示面の状態図である。
【図３８】本実施の形態の電子棚札の左右ドラッグ処理のケース２Ｄにおける処理終了時の棚札表示データの構成図である。
【図３９】本実施の形態の電子棚札の左右ドラッグ処理のケース２Ｅにおける、(ａ)は、処理開始時の棚札部の表示面の状態図、(ｂ)は、処理終了時の棚札部の表示面の状態図である。
【図４０】本実施の形態の電子棚札の左右ドラッグ処理のケース２Ｅにおける処理終了時の棚札表示データの構成図である。
【図４１】商品陳列台における電子棚札の他の使用例を示した斜視図(その１)である。
【図４２】商品陳列台における電子棚札の他の使用例を示した斜視図(その２)である。
【符号の説明】
【０１３６】
１  電子棚札
２  棚札サーバ
３  携帯端末
１０  商品陳列台
１０ａ  商品陳列棚
１０ｂ  商品仕切板
１１  ＣＰＵ
１２  メモリ
１３  無線通信部
１４  操作部
１５  棚札部
１６  ＬＣＤ
１７  タッチパネル
１８  制御ライン
【図１】
2008023108.tif 000003
【図２】
2008023108.tif 000004
【図３】
2008023108.tif 000005
【図４】
2008023108.tif 000006
【図５】
2008023108.tif 000007
【図６】
2008023108.tif 000008
【図７】
2008023108.tif 000009
【図８】
2008023108.tif 000010
【図９】
2008023108.tif 000011
【図１０】
2008023108.tif 000012
【図１１】
2008023108.tif 000013
【図１２】
2008023108.tif 000014
【図１３】
2008023108.tif 000015
【図１４】
2008023108.tif 000016
【図１５】
2008023108.tif 000017
【図１６】
2008023108.tif 000018
【図１７】
2008023108.tif 000019
【図１８】
2008023108.tif 000020
【図１９】
2008023108.tif 000021
【図２０】
2008023108.tif 000022
【図２１】
2008023108.tif 000023
【図２２】
2008023108.tif 000024
【図２３】
2008023108.tif 000025
【図２４】
2008023108.tif 000026
【図２５】
2008023108.tif 000027
【図２６】
2008023108.tif 000028
【図２７】
2008023108.tif 000029
【図２８】
2008023108.tif 000030
【図２９】
2008023108.tif 000031
【図３０】
2008023108.tif 000032
【図３１】
2008023108.tif 000033
【図３２】
2008023108.tif 000034
【図３３】
2008023108.tif 000035
【図３４】
2008023108.tif 000036
【図３５】
2008023108.tif 000037
【図３６】
2008023108.tif 000038
【図３７】
2008023108.tif 000039
【図３８】
2008023108.tif 000040
【図３９】
2008023108.tif 000041
【図４０】
2008023108.tif 000042
【図４１】
2008023108.tif 000043
【図４２】
2008023108.tif 000044